(57)【要約】      （修正有）【課題】全体形状を小型化することにより、携帯性を向上させるとともに、容器の保持や収納を簡便にし、且つ、携帯時における容器の抜け落ちを極力軽減することができる容器保持具を提供する。【解決手段】本体部と、本体部に連接された、容器２０の側周を保持する保持部３と、を備える容器保持具において、本体部のゴム保持部１０に、保持された容器の側周を保持するゴム部材９が装着されている。【選択図】図７
0003206639.tif 000002
【実用新案登録請求の範囲】
【請求項１】
本体部と、本体部に連接された、容器の側周を保持する保持部と、を備える容器保持具において、前記本体部に、保持された容器の側周を保持するゴム部材を備えたことを特徴とする容器保持部。
【請求項２】
前記ゴム部材は、本体部のゴム保持部に装着されている請求項１記載の容器保持部。
【請求項３】
前記保持部を少なくとも２体以上形成した請求項１または２記載の容器保持部。
【請求項４】
前記本体部に、吊下具を形成した請求項１乃至３のうちいずれか１項に記載の容器保持部。
【考案の詳細な説明】
【技術分野】
【０００１】  本考案は、容器の収納や装着を簡便に、且つ、携帯時における抜け落ちを軽減することができる容器保持具に関する。
【背景技術】
【０００２】  一般的に、キャンプや釣り等のアウトドアを楽しむ場合、小さい容器を携帯することがある。それらの小さい容器はバッグ内に収容したり、ポケットに入れたりして持ち運んでいた。【０００３】  また、上記に関する先行技術として、携帯時における釣り人の負担軽減を図ることができる釣り用ケースがある（例えば特許文献１参照）。
上掲特許文献１の釣り用ケースは、ケース本体の両側面に両端部がそれぞれ着脱自在に取り付けられて肩掛け可能に構成されたベルトを備え、該ベルトは、ケース本体から両端部を取り外してケース本体の背面のベルト通しに挿通することにより腰に巻き付け可能となる釣り用ケースにおいて、前記ベルトはパッドを備え、該パッドは、ベルトを肩に掛けた際には肩に当接し且つベルトを腰に巻き付ける際にはケース本体の背面に位置するようにベルト本体に取り付けられていることを特徴とする。
【先行技術文献】
【特許文献】
【０００４】
【特許文献１】特開２００５−１２４４７３号公報
【考案の概要】
【考案が解決しようとする課題】  しかしながら特許文献１の釣り用ケースは、保冷用のケースであるため構造が大掛かりになるという問題が生じた。また全体形状が大形となり、小物の容器を収容させるには不向きであった。【０００５】  そこで本考案は上記の点に鑑み、全体形状を小型化することにより、携帯性を向上させるとともに、容器の保持や収納を簡便にし、且つ、携帯時における容器の抜け落ちを極力軽減することができる容器保持具を提供することにある。
【解決を解決するための手段】
【０００６】  上記課題を解決するために本考案は、本体部と、本体部に連接された、容器の側周を保持する保持部と、を備える容器保持具において、前記本体部に、保持された容器の側周を保持するゴム部材を備えたことを特徴とする。
【０００７】  また前記ゴム部材は、本体部のゴム保持部に装着されている。
【０００８】  また、前記保持部を少なくとも２体以上形成した。
【０００９】  さらに、前記本体部に吊下具を形成した。
【考案の効果】
【００１０】  本体部と、本体部に連接された、容器の側周を保持する保持部とを備え、前記本体部に、保持された容器の側周を保持するゴム部材を具備することにより、保持部とゴム部材にて容器の側周を保持することで、携帯の際に発生する容器の抜け落ちを極力軽減することができる。
【図面の簡単な説明】
【００１１】
【図１】本考案の容器保持具の斜視図である。
【図２】前記容器保持具の底面を示す斜視図である。
【図３】前記容器保持具の平面図である。
【図４】前記容器保持具の底面図である。
【図５】前記容器保持具の正面図である。
【図６】使用状態の斜視図である。
【図７】底面から視た使用状態の斜視図である。
【図８】使用状態の拡大底面図である。
【考案を実施するための形態】
【００１２】  本考案の容器保持具は、全体形状を小型化することにより、携帯性を向上させるとともに、容器の保持や収納を簡便にし、且つ、携帯時における容器の抜け落ちを極力軽減することを特徴とするものである。
以下、本考案の容器保持具の実施の形態を図面に基づいて説明する。
【００１３】  図１及び図６に示す容器保持具１は、量産が可能で、且つ、適宜強度と柔軟性を有する合成樹脂等で形成されている。また前記容器保持具１は、本体部２と、本体部２に連接された、容器２０の側周を保持する保持部３と、容器２０の側周を保持するゴム部材９を備えたことを特徴とする。
【００１４】  前記保持部３には、容器２０を挿脱するための開口部４が、また開口部４の対向する箇所には切込部５形成されている。そのため、保持部３の径よりやや大径の容器であっても、保持部３の径が拡張されて容器２０を保持することができる。なお、本考案の保持部３は、本体部２に一対形成されている。
【００１５】  また前記容器保持具１の保持部３は、図中、円柱状の容器を保持する湾曲状に形成されているが、これに限らず、多角形状や楕円状等のさまざまな容器に対応できる形状に形成することができる。
【００１６】  また前記保持部３の間には、吊下具６が形成されている。かかる吊下具６は、突出部７と、突出部７の中央に形成された開孔部８とからなる。そのため、前記開孔部８にチェーン等を連結することで、容器保持具１をベルト通しやバッグ等に容易に吊り下げることができる。
【００１７】  また図２及び図４に示すように、本体部２の底面には、前記ゴム部材９を保持するゴム保持部１０が形成されている。ゴム保持部１０は、鉛直方向に形成されたスリット１１と、スリット１１の下部に形成されたゴム部材収容部１２とからなる。
【００１８】  またスリット１１の下端部分には、抜け止め用の凸部１３が、さらには、前記スリット１１の保持部３側には、抜け止め用の突起部１４が形成されている。そのことにより、ゴム部材９で容器２０を保持した状態において、ゴム部材９がゴム保持部１０から抜け出ることを極力軽減できる。
【００１９】  次に、本考案の容器保持具１の使用方法を図６乃至図８に基づいて説明する。
先ず、容器２０を保持部３の開口部４から挿入する。この際、保持部３には切込部５が形成されているため、保持部３の径よりやや大径の容器２０であっても、保持部３の径が拡張されて容器２０を保持することができる。なお、容器２０の底面から保持部３内に挿入してもよい。
【００２０】  保持部３内に容器２０が保持された後、ゴム部材９を伸ばしながら容器２０の側周を保持する。そのことにより、容器２０の側周は、保持部３とゴム部材９にて確実に保持され、携帯時における容器２０の抜け落ちを極力軽減することができる。
【００２１】  なお、スリット１１の先端には凸部１３が、またゴム収容部１２の保持部３側には突起部１４がそれぞれ形成されているため、ゴム部材９がゴム収容部１２内から抜け出ることを極力軽減できる。
【００２２】  また、吊下具６にチェーン等の吊下部材１５を装着することにより、容器保持具１をベルト通しやバッグ等に容易に吊下げることができる。また図示する容器保持具１は、保持部３が一対形成されているため、利便性と重量のバランスが得られる。
【００２３】  上述の如く、本考案の容器保持具１は、本体部２と、本体部２に連接された、容器２０の側周を保持する保持部３と、保持された容器２０の側周を保持するゴム部材９とを備えたことにより、全体形状を小型化することができる。そのため、携帯性が向上するとともに、容器２０の収納を簡便化し、且つ、携帯時における容器２０の抜け落ちを極力軽減することができる。
【符号の説明】
【００２４】１    容器保持具
２    本体部
３    保持部
４    開口部
５    切込部
６    吊下具
７    突起部
８    開孔部
９    ゴム部材
１０  ゴム保持部
１１  スリット
１２  ゴム部材収容部
１３  凸部
１４  突起部
２０  容器
【図１】
0003206639.tif 000003
【図２】
0003206639.tif 000004
【図３】
0003206639.tif 000005
【図４】
0003206639.tif 000006
【図５】
0003206639.tif 000007
【図６】
0003206639.tif 000008
【図７】
0003206639.tif 000009
【図８】
0003206639.tif 000010